(57)【要約】一例では、ディスプレイは、複数の隔置された発光デバイスパッケージ、該複数の隔置された発光デバイスパッケージの各々を仕切るための仕切り壁を有するプライバシーゲート、及びディスプレイの視角を制御するように前記複数の隔置された発光デバイスパッケージに対して上下に移動する前記仕切り壁を選択的に上下に移動させるための制御ユニットを含むことが可能である。【選択図】図１
2021500597.tif 000002
【特許請求の範囲】
【請求項１】
複数の隔置された発光デバイスパッケージと、
該複数の隔置された発光デバイスパッケージの各々を仕切るための複数の仕切り壁を有するプライバシーゲートと、
ディスプレイの視角角を制御するために前記複数の隔置された発光デバイスパッケージに対して前記仕切り壁を選択的に上下に移動させるための制御ユニットと
を備えている、ディスプレイ。
【請求項２】
前記複数の隔置された発光デバイスパッケージが列及び行に配置され、及び各発光デバイスパッケージが少なくとも１つのマイクロ発光ダイオード（μＬＥＤ）画素を含む、請求項１に記載のディスプレイ。
【請求項３】
前記プライバシーゲートが、前記複数の隔置された発光デバイスパッケージを仕切るために支持フレームワークにより配置された複数の列の仕切り壁を含む格子形状の構造であり、各発光デバイスパッケージが、前記複数の列の仕切り壁の間に画定されたそれぞれの空間内に収納される、請求項１に記載のディスプレイ。
【請求項４】
前記制御ユニットが、前記ディスプレイの視野角の２方向プライバシー制御を提供するように前記支持フレームワークに対して前記複数の列の前記仕切り壁を上下に移動させる、請求項３に記載のディスプレイ。
【請求項５】
前記プライバシーゲートが、前記複数の隔置された発光デバイスパッケージを仕切るために支持フレームワークにより配置された複数の交差する行及び列の仕切り壁を含む格子形状の構造であり、各発光デバイスパッケージが、交差する行及び列の仕切り壁により画定されるそれぞれの空間内に収容される、請求項１に記載のディスプレイ。
【請求項６】
前記制御ユニットが、前記ディスプレイの視野角の２方向プライバシー制御を提供するように前記行又は列に対応する前記仕切り壁を前記支持フレームワークに対して上下に移動させ、該２方向プライバシー制御が、水平視野角制御及び垂直視野角制御の一方を含む、請求項５に記載のディスプレイ。
【請求項７】
前記制御ユニットが、前記ディスプレイの視野角の４方向プライバシー制御を提供するように前記行及び列に対応する前記仕切り壁を前記支持フレームワークに対して上下に移動させ、該４方向プライバシー制御が、水平視野角制御及び垂直視野角制御を含む、請求項５に記載のディスプレイ。
【請求項８】
複数の隔置された発光ダイオード（ＬＥＤ）パッケージを有するバックプレーンと、
該複数の隔置されたＬＥＤパッケージの各々を仕切るための仕切り壁を有するプライバシーゲートであって、複数の交差する行及び列の仕切り壁により形成される格子形状の構造であり、及び各ＬＥＤパッケージが、前記複数の交差する行及び列の仕切り壁により画定されるそれぞれの空間内に収容される、プライバシーゲートと、
該プライバシーゲートの上方に配置された光学フィルムと
を含むディスプレイと、
該ディスプレイの視野角を制御するように前記複数の隔置されたＬＥＤパッケージに対して前記仕切り壁を選択的に上下に移動させるための制御ユニットと
を備えている、電子デバイス。
【請求項９】
前記光学フィルム上に配置された基板を含み、該基板がガラス基板又はプラスチック基板である、請求項８に記載の電子デバイス。
【請求項１０】
前記制御ユニットが、
前記ディスプレイの垂直視野角を制御するように前記行に対応する前記仕切り壁を前記複数の隔置されたＬＥＤパッケージに対して上下に移動させ、
前記ディスプレイの水平視野角を制御するように前記列に対応する前記仕切り壁を前記複数の隔置されたＬＥＤパッケージに対して上下に移動させ、又は、
前記ディスプレイの水平視野角及び垂直視野角を制御するように前記行及び前記列に対応する前記仕切り壁を前記複数の隔置されたＬＥＤパッケージに対して上下に移動させる、
請求項８に記載の電子デバイス。
【請求項１１】
前記光学フィルムが、非対称転向フィルム、非対称プリズムフィルム、プリズムフィルム、輝度上昇フィルム（ＢＥＦ）、デュアル輝度上昇フィルム（ＤＢＥＦ）、ディフューザ、偏光子フィルム、位相差フィルム、又はそれらの任意の組み合わせを含む、請求項８に記載の電子デバイス。
【請求項１２】
前記制御ユニットが、複数のプライバシーモードに対応する複数の位置に前記プライバシーゲートを移動させることにより前記ディスプレイのプライバシーの度合いを制御し、各プライバシーモードが、他のプライバシーモードとは異なる視野角を有する、請求項８に記載の電子デバイス。
【請求項１３】
複数の命令を含む非一時的なコンピュータ読み取り可能記憶媒体であって、該命令が、コンピューティング装置のプロセッサにより実行された際に、
ディスプレイのプライバシーモードのアクティブ化を検出し、該ディスプレイが、発光ダイオード（ＬＥＤ）パッケージのアレイと、該ＬＥＤパッケージの各々を仕切る仕切り壁を有するプライバシーゲートとを含み、該仕切り壁が、通常モードで該ディスプレイの第１の視野角を提供するものであり、
前記プライバシーモードのアクティブ化の検出に応じて、前記ディスプレイの前記第１の視野角よりも狭い第２の視野角を提供するように前記仕切り壁を上方に移動させて前記ＬＥＤパッケージの光の方向を変更する
ことを前記プロセッサに行わせるものである、非一時的なコンピュータ読み取り可能記憶媒体。
【請求項１４】
前記ディスプレイの第２プライバシーモードを有効にするための入力を受信し、及び、
前記ディスプレイの前記第２の視野角よりも狭い第３の視野角を提供するように前記プライバシーゲートを上方に移動させて前記ＬＥＤパッケージの光の方向を変更する
ための命令を含む、請求項１３に記載の非一時的なコンピュータ読み取り可能記憶媒体。
【請求項１５】
前記プライバシーゲートが、前記複数のＬＥＤパッケージの各々を仕切るための行及び列に配置された仕切り壁を含み、前記仕切り壁を上方に移動させることが、
前記ディスプレイの水平視野角を制御するように前記列に対応する前記仕切り壁を上方に移動させ、
前記ディスプレイの垂直視野角を制御するように前記行に対応する前記仕切り壁を上方に移動させ、及び、
前記ディスプレイの水平視野角及び垂直視野角を制御するように前記行及び前記列に対応する仕切り壁を上方に移動させる
ことのうちの１つを含む、請求項１３に記載の非一時的なコンピューター読み取り可能記憶媒体。
【発明の詳細な説明】
【背景技術】
【０００１】
モバイルコンピューティングの出現と人気により、電子デバイスは、そのコンパクトなデザインと軽量のため、今日の市場では主要商品となっている。携帯電話、ノートブック、及びタブレットといった電子デバイスは、ユーザーに情報を出力するディスプレイを含むことが可能である。例示的なディスプレイは、マイクロ発光ダイオード（マイクロLED又はμLED）ディスプレイを含むことが可能である。マイクロLEDディスプレイは、個々の画素素子を形成する微小（microscopic）LEDのアレイを有することが可能である。ユーザーは該ディスプレイを使用して個人の財務情報や機密電子メールといった個人情報を見ることが可能である。電子デバイスの携帯性が向上したため、ユーザーは、電子デバイスを搬送してプライバシーが最小限となる公共の場所で使用することが可能である。
【図面の簡単な説明】
【０００２】
【図１Ａ】プライバシーゲートを示す例示的なディスプレイの斜視図である。
【図１Ｂ】図１Ａの例示的なディスプレイの斜視図であり、ディスプレイの視野角を制御するためのプライバシーゲートの上方への移動を示している。
【図１Ｃ】図１Ａに対応するディスプレイの広い視野角を示す例示的な概略図である。
【図１Ｄ】図１Ｂに対応するディスプレイの狭い視野角を示す例示的な概略図である。
【図２Ａ】例示的な電子デバイスの概略図であり、該電子デバイスのディスプレイの視野角を制御するためのプライバシーゲートを示している。
【図２Ｂ】図２Ａの例示的な電子デバイスの概略図であり、ディスプレイの追加の構成要素を示している。
【図３Ａ】２方向プライバシー制御を提供するために上下に移動させることができる複数の列の仕切り壁を含むプライバシーゲートの例示的な概略図を示している。
【図３Ｂ】２方向プライバシー制御を提供するために上下に移動させることができる複数の列の仕切り壁を含むプライバシーゲートの例示的な概略図を示す。
【図３Ｃ】２方向プライバシー制御を示すディスプレイの例示的な概略図である。
【図４Ａ】４方向プライバシー制御を提供するために上下に移動させることができる複数の交差する行及び列の仕切り壁を含むプライバシーゲートの例示的な概略図を示している。
【図４Ｂ】４方向プライバシー制御を提供するために上下に移動させることができる複数の交差する行及び列の仕切り壁を含むプライバシーゲートの例示的な概略図を示している。
【図４Ｃ】４方向プライバシー制御を示すディスプレイの例示的な概略図である。
【図５】プライバシーモードのアクティブ化を検出した際にディスプレイのプライバシーモードを実施するための例示的な電子デバイスのブロック図を示している。
【発明を実施するための形態】
【０００３】
複数の実施形態について以下の詳細な説明及び図面を参照して説明する。
【０００４】
携帯電話、ノートブック、及びタブレットといった電子デバイスは、ユーザに情報を出力するディスプレイを含むことが可能である。ユーザーは、該ディスプレイを使用して、個人の財務情報や機密電子メールといった個人情報を見ることが可能である。多くの場合、ユーザーは、待合室に座っているとき、列に並んでいるとき、又は公共交通機関に乗っているときなど、公共の場所にいる可能性がある。かかる状況では、特にユーザーの電子デバイスが様々な角度から見ることができるディスプレイを含む場合に、他の人々がユーザーの電子デバイスのディスプレイを見ることが可能である。場合によっては、取り外し可能なプライバシースクリーンをディスプレイ装置で使用して該ディスプレイ装置から発せられる光の伝播方向を制限することが可能である。かかる場合、プライバシースクリーンの使用は、ディスプレイ装置に関するタッチスクリーンの機能を抑制し又は低減させる可能性がある。
【０００５】
本書で説明する例は、複数の隔置された発光デバイスパッケージを含むディスプレイを提供することが可能である。例示的なディスプレイは、マイクロ発光ダイオード（マイクロLED）ディスプレイ、マイクロエレクトロメカニカルシステム（ＭＥＭＳ）ディスプレイなどを含むことが可能である。マイクロLEDディスプレイは、m-LED又はμ-LEDとしても知られるものであり、個々の画素素子を形成する微小LEDのアレイを有する新しいフラットパネルディスプレイ技術である。各発光デバイスパッケージは、少なくとも１つのマイクロLEDを含むことが可能である。更に、該ディスプレイは、複数の隔置された発光デバイスパッケージの各々を仕切るための仕切り壁を有するプライバシーゲートを含むことが可能である。更に、該ディスプレイは、該ディスプレイの視角を制御するために、複数の隔置された発光デバイスパッケージに対して仕切り壁を選択的に上下に移動させる制御ユニットを含むことが可能である。
【０００６】
本書で説明する例は、視野角を制御してディスプレイを覗き見から保護するための切り替え可能なプライバシー制御をディスプレイに提供することが可能である。この場合、ユーザーがプライバシーモードを選択した際に、プライバシーゲート（例えば、極薄のプライバシーゲート）を上下に移動させて光の方向を変更することが可能である。これにより、保険、銀行、金融、人事、貿易、診察室、医療関係者、及びセキュリティアプリケーションといった、機密データ及び情報を盗み見から保護することが可能となる。
【０００７】
本書で説明する例は、２方向又は４方向のプライバシー制御（すなわち、水平視野角制御及び／又は垂直視野角制御）を提供することが可能である。本書で説明する例はまた、マルチモードのプライバシー制御を提供することが可能である。例えば、ディスプレイ上のプライバシーの度合いは、発光デバイスパッケージに対して超薄型プライバシーゲートを複数のプライバシーモードに対応する複数の位置に移動させることにより制御することが可能である。
【０００８】
図１Ａは、プライバシーゲート104を示す例示的なディスプレイ100の斜視図である。ディスプレイ100は、コンピューティング装置に対する外部ディスプレイ、コンピューティング装置に対する内部ディスプレイ、又はそれらの任意の組み合わせとすることが可能である。ディスプレイの例としてタッチスクリーンディスプレイが挙げられる。一例では、ディスプレイ100は、例えば、ディスプレイ100の回路基板に統合された、複数の隔置された発光デバイスパッケージ102を含むことが可能である。一例では、隔置された発光デバイスパッケージ102は、複数の列及び複数の行に配置することが可能である。別の例では、発光デバイスパッケージ102は一様に配置することが可能である。
【０００９】
例えば、ディスプレイ100は、画素素子のアレイを介してデータを出力するディスプレイデバイスを指すことが可能である。かかる場合、発光デバイスパッケージ102は、適切な電気バイアスが提供された際に光を生成する少なくとも１つの半導体デバイスを含むことが可能である。例えば、各発光デバイスパッケージ102は、発光するよう駆動することが可能な少なくとも１つのμLED画素を含むことが可能である。画素は、イメージを形成するために使用することが可能なディスプレイ100の構成要素を指すことが可能である。例えば、各μLED画素は、赤色画素、緑色画素、青色画素、又はそれらの任意の組み合わせを含むことが可能である。かかる画素は、様々な色を生成するよう別個して制御することが可能である。
【００１０】
例示的なディスプレイ100は、隔置された発光デバイスパッケージ102の各々を仕切るための仕切り壁106を有するプライバシーゲート104を含むことが可能である。例示的なプライバシーゲート104は、超薄型プライバシーゲートとすることが可能である。一例では、プライバシーゲート104は、光が仕切り壁106を介して放出することができるように発光デバイスパッケージ102上に配置することが可能である。例示的なディスプレイ100は、発光デバイスパッケージ102に対して仕切り壁106を選択的に上下に移動させてディスプレイ100の視野角を制御する制御ユニット108を含むことが可能である。
【００１１】
図１Ｂは、図１Ａの例示的なディスプレイ100の斜視図であり、ディスプレイ100の視野角を制御するためのプライバシーゲート104の上方への移動を示している。図１Ｂに示すように、プライバシーゲート104は、複数の隔置された発光デバイスパッケージ102を仕切るように支持フレームワーク110により配置された複数の列の仕切り壁106を有する格子形状の構造とすることが可能である。各発光デバイスパッケージ102は、複数の列の仕切り壁106の間に画定されたそれぞれの空間内に収容することが可能である。一例では、制御ユニット108は、仕切り壁106を支持フレームワーク110に対して上下に移動させてディスプレイ100の視野角の２方向プライバシー制御を提供することが可能である。一例では、２方向プライバシー制御は、ディスプレイ100の水平視野角制御を含むことが可能である。
【００１２】
図１Ｃは、ディスプレイ100が通常モードで動作している際のディスプレイ100の広い視野角を示す例示的な概略図100Cである。図１Ｃにおいて、プライバシーゲート104は、支持フレームワーク110に対して第１の位置にある（例えば、高さh1を有する）。図１Ｄは、ディスプレイ100がプライバシーモードで動作している際のディスプレイ100の狭い視野角を示す例示的な概略図100Dである。
【００１３】
図１Ｄに示すように、プライバシーゲート104は、支持フレームワーク110に対して（例えば、高さh2（h2>h1）を有する）第２の位置まで上方に移動して、μ-LED画素の光の方向を変更し、及びディスプレイ100の視野角を狭めることが可能である。この例では、仕切り壁106は、発光デバイスパッケージ102からの光の一部を遮って、ディスプレイ100の視野角を狭めることが可能である。
【００１４】
プライバシーモードは、ユーザーにより明示的にアクティブ化することが可能であり、又はプライバシーモードトリガーイベントに応じてアクティブ化することが可能である。一例では、タッチスクリーンを使用してプライバシーモードをアクティブ化し及び／又は非アクティブ化するジェスチャを検出することが可能である。別の例では、プライバシーモードは、キーボード及び／又はキーパッドを介してアクティブ化し及び／又は非アクティブ化することが可能である。更に別の例では、ディスプレイ100のマイクを使用して、プライバシーモードをアクティブにするための口頭のコマンドを検出することが可能である。更に別の例では、プライバシーモード又は通常モードは、ユーザーが手動で選択することが可能である。更に別の例では、プライバシーモード又は通常モードは、ディスプレイ100に配設された少なくとも１つのセンサを介したユーザーのジェスチャーに基づいて自動的に検出することが可能である。例示的なセンサはカメラを含むことが可能である。
【００１５】
このようにして、広い視野角と狭い視野角との間で視野角を切り替えるために、プライバシーゲート104を支持フレームワーク110に対して上下に移動させることが可能である。広い視野角は、ディスプレイ100に表示された情報／コンテンツを見ることができる最大角度を指すことが可能である。広い視野角は、狭い視野角よりも大きいことが可能である。プライバシー動作モード中には、他のユーザーがディスプレイ100を見るのを妨げるために、視野角（例えば、ディスプレイ100上の機密情報を見る範囲）を制限する必要がある。この場合、ディスプレイ100の視野角を狭い視野角に切り替えて、ディスプレイ100上に表示される情報／コンテンツのプライバシーを可能にする。通常動作モード中には、ディスプレイ100の視野角は広い視野角に切り替えることが可能である。
【００１６】
図２Ａは、例示的な電子デバイス200の概略図であり、該電子デバイス200のディスプレイ202の視野角を制御するプライバシーゲート208を示している。例示的な電子デバイス200は、スマートフォン等のモバイル通信デバイス、ラップトップ、タブレット、ラップトップモード及びタブレットモードの両方で使用することが可能なコンバーチブルデバイス、メディア再生デバイス、ポータブルゲームシステム、及び／又は視覚的なデータを表示する画面を有するその他のタイプのポータブルコンピュータデバイスを含むことが可能である。例示的なディスプレイ202は、液晶ディスプレイ（LCD）、発光ダイオード（LED）ディスプレイ、μ-LEDディスプレイ、MEMSディスプレイ、又は複数のLEDパッケージ（例えば、LED）のアレイを含むその他のディスプレイを含むことが可能である。マイクロLED（μ-LED）は、一種のLEDと見なすことが可能である。電子デバイス200は、該電子デバイス200の機能に応じて、カメラ、オーディオ／ビデオデバイスといった他の構成要素を備えていることが可能である。
【００１７】
例示的な電子デバイス200は、ディスプレイ202と、ディスプレイ202に通信可能な状態で接続された制御ユニット212とを含むことが可能である。一例では、制御ユニット212は、例えば、タブレットコンピュータの場合には、ディスプレイ202の一部として実施することが可能である。別の例では、制御ユニット212は、電子機器200の（例えば、バッテリー、タッチパッド、キーボード等を収容する）ベースハウジングの一部として実施することが可能であり、例えば、ノートブックコンピュータの場合には、ディスプレイ202に通信可能な状態で接続することが可能である。
【００１８】
ディスプレイ202は、隔置されたLEDパッケージ206のアレイを備えたバックプレーン204を含むことが可能である。例えば、各LEDパッケージ206は、赤色μ-LED、緑色μ-LED、青色μ-LED、又はそれらの任意の組み合わせを含むことが可能である。更に、ディスプレイ202は、隔置されたLEDパッケージのアレイの各々を仕切るための仕切り壁を有するプライバシーゲート208を含むことが可能である。一例では、プライバシーゲート208は、仕切り壁の複数の交差する行及び列によって形成される格子形状の構造とすることが可能である。各LEDパッケージ206は、仕切り壁の交差する行及び列によって画定されるそれぞれの空間内に収容することが可能である。
【００１９】
更に、ディスプレイ202は、プライバシーゲート208が光学フィルム210とバックプレーン204との間で上下に移動できるようにプライバシーゲート208の上に配置された光学フィルム210を含むことが可能である。幾つかの例では、光学フィルム210、バックプレーン204、及びプライバシーゲート208は、互いに平行である。例示的な光学フィルム210は、非対称転向（turning）フィルム、非対称プリズムフィルム、プリズムフィルム、輝度上昇フィルム（BEF）、デュアル輝度上昇フィルム（DBEF）、ディフューザ、偏光子フィルム、位相差フィルム、又はそれらの任意の組み合わせを含むことが可能である。図２Ｂに示すように、ディスプレイ202は、光学フィルム210上に配置された基板214を含むことが可能である。例示的な基板214は、ガラス基板又はプラスチック基板とすることが可能である。幾つかの例では、ディスプレイ202は、ディスプレイと、ユーザのタッチを検出するよう構成された入力デバイスとを含むタッチスクリーンを含むことが可能である。更に、光学フィルム210は、例示的な基板214上に配置することが可能である。
【００２０】
動作中、制御ユニット212は、仕切り壁202を隔置されたLEDパッケージ206に対して選択的に上下に移動させて、ディスプレイ202の視野角を制御することが可能である。一例では、制御ユニット212は、複数のプライバシーモードに対応する複数の位置にプライバシーゲート208を移動させることにより、ディスプレイ202上のプライバシーの度合いを制御することが可能である。各プライバシーモードは、他のプライバシーモードとは異なる視野角を有することが可能である。
【００２１】
一例では、制御ユニット212は、列に対応する仕切り壁を隔置されたLEDパッケージ206のアレイに対して上下に移動させて、ディスプレイ202の水平視野角を制御することが可能である。これについては図３Ａで説明されている。別の例では、制御ユニット212は、行に対応する仕切り壁を隔置されたLEDパッケージ206のアレイに対して上下に移動させて、ディスプレイ202の垂直視野角を制御することが可能である。更に別の例では、制御ユニット212は、行及び列に対応する仕切り壁を隔置されたLEDパッケージ206のアレイに対して上下に移動させて、ディスプレイ202の水平視野角及び垂直視野角を制御することが可能である。
【００２２】
図３Ａ及び図３Ｂは、２方向プライバシー制御を提供するために上下に移動させることが可能な仕切り壁の複数の列304を含むプライバシーゲート208の例示的な概略図を示している。特に、図３Ａ及び図３Ｂは、プライバシーゲート208の平面図300A及び正面図300Bを示している。図３Ａに示すように、プライバシーゲート208は、LEDパッケージ206を仕切るために支持フレームワーク302により配置された仕切り壁の列304を有する格子形状の構造とすることが可能である。各LEDパッケージは、仕切り壁の列304の間に画定されるそれぞれの空間内に収容することが可能である。
【００２３】
図３Ａの例示的な正面図300Bに示すように、ディスプレイ202が通常モードで動作する（すなわち、プライバシーモードが非アクティブ化される）場合、仕切り壁の列304は、支持フレームワーク302内に配置される。図３Ｂの正面図300Bに示すように。制御ユニット212は、ディスプレイ202のプライバシーモードがアクティブ化された際に、ディスプレイ202の視野角の２方向プライバシー制御を提供するために、支持フレームワーク302に対して仕切り壁の列304を上方に移動させることが可能である。図３Ｃは、図３Ｂに対応する２方向プライバシー制御を示すディスプレイ202の例示的な概略図である。一例では、図３Ｃは、図３Ｂのプライバシーモードに対応するディスプレイ202の右視野プライバシー制御及び左視野プライバシー制御を示している。
【００２４】
図４Ａ及び４Ｂは、４方向プライバシー制御を提供するために上下に移動させることが可能な仕切り壁の複数の交差する行406及び列404を含むプライバシーゲート208の例示的な概略図を示している。特に、図４Ａ及び図４Ｂは、プライバシーゲート208の平面図400A、正面の断面図400B、及び側面の断面図400Cを示している。図４Ａに示すように、プライバシーゲート208は、LEDパッケージ206を仕切るために支持フレームワーク402により配置された仕切り壁の複数の交差する行406及び列404を含む格子形状の構造とすることが可能である。各LEDパッケージ206は、仕切り壁の交差する行406及び列404により画定されるそれぞれの空間内に収容することが可能である。。
【００２５】
図４Ａの例示的な正面図400B及び側面図400Cに示すように、ディスプレイ202が通常モードで動作する（すなわち、プライバシーモードが非アクティブ化される）場合、仕切り壁の行406及び列404は、支持フレームワーク402内に配置される。図４Ｂの正面図400B及び側面図400Cに示すように、制御ユニット212は、ディスプレイ202のプライバシーモードがアクティブ化された際にディスプレイ202の視野角の４方向プライバシー制御を提供するために、支持フレームワーク402に対して仕切り壁の行406及び列404を上方に移動させることが可能である。
【００２６】
図４Ｃは、図４Ｂに対応する４方向プライバシー制御を示すディスプレイ202の例示的な概略図である。一例では、図４Ｃは、図４Ｂのプライバシーモードに対応するディスプレイ202の右視野プライバシー制御、左視野プライバシー制御、上視野プライバシー制御、及び下視野プライバシー制御を示している。例示的な４方向プライバシー制御は、水平視野角制御（すなわち、右視野プライバシー制御及び左視野プライバシー制御）及び垂直視野角制御（すなわち、上視野プライバシー制御及び下視野プライバシー制御）を含むことが可能である。
【００２７】
他の例では、制御ユニット212は、ディスプレイ202の水平視野角制御又は垂直視野角制御をそれぞれ提供するために列404又は行406に対応する仕切り壁を支持フレームワーク402に対して上下に移動させることが可能である。
【００２８】
制御ユニット108,212は、例えば、本書で説明する機能を実施するための電子回路を含むハードウェアデバイスを含むことが可能である。追加的又は代替的に、制御ユニット108,212は、デバイス（例えば、100及び200）のマシン読み取り可能記憶媒体上に符号化され及びプロセッサにより実行可能な一連の命令として実施することが可能である。本書で説明する例では、プロセッサは、例えば、単一のデバイスに含まれ、又は複数のデバイスにわたって分散された、１つのプロセッサ又は複数のプロセッサを含むことが可能である。幾つかの例では、一部のモジュールがハードウェアデバイスとして実施され、他のモジュールが実行可能命令として実施されることに留意されたい。
【００２９】
図５は、プライバシーモードのアクティブ化を検出した際にディスプレイのプライバシーモードを実施するための電子デバイス500のブロック図を示している。電子デバイス500は、システムバスを介して通信可能な状態で接続されたプロセッサ502及びマシン読み取り可能記憶媒体504を含むことが可能である。プロセッサ502は、マシン読み取り可能記憶媒体504に記憶されたマシン読み取り可能命令を解釈し実行する任意のタイプの中央処理装置（CPU）、マイクロプロセッサ、又は処理ロジックとすることが可能である。マシン読み取り可能記憶媒体504は、ランダムアクセスメモリ（RAM）、又は情報及びプロセッサ502により実行することが可能なマシン読み取り可能命令を記憶することが可能な別のタイプの動的な記憶装置とすることが可能である。例えば、マシン読み取り可能記憶媒体504は、同期DRAM（SDRAM）、ダブルデータレート（DDR）、ラムバスDRAM（RDRAM）、ラムバスRAM等、又はフロッピーディスク、ハードディスク、CD-ROM、DVD、ペンドライブといったストレージメモリ媒体とすることが可能である。一例では、マシン読み取り可能記憶媒体504は、非一時的なマシン読み取り可能媒体とすることが可能である。一例では、マシン読み取り可能記憶媒体504は、遠隔地にあり且つ電子デバイス500に対してアクセス可能であるものとすることが可能である。
【００３０】
マシン読み取り可能記憶媒体504は、命令506,508を格納することが可能である。一例では、命令506,508は、プライバシーモードがアクティブ化され又は非アクティブ化された際にディスプレイの視野角を制御するためにプロセッサ502により実行することが可能である。命令506は、ディスプレイのプライバシーモードのアクティブ化を検出するためにプロセッサ502により実行することが可能である。一例では、ディスプレイは、発光ダイオード（LED）パッケージのアレイと、該LEDパッケージの各々を仕切る仕切り壁を有するプライバシーゲートとを含むことが可能である。例えば、ディスプレイは、複数のμ-LEDを含むことが可能である。例えば、プライバシーゲートは、複数の集積化されたLEDパッケージを有するバックプレーンとディスプレイのプリズム層との間に配置することが可能である。仕切り壁は、ディスプレイが通常モードで動作する際にディスプレイの第１の視野角を提供することが可能である。
【００３１】
命令508は、プライバシーモードのアクティブ化の検出に応じてディスプレイの第２の視野角を提供するようLEDパッケージの光の方向を変更するために仕切り壁を上方に移動させるようにプロセッサ502により実行することが可能である。第２の視野角は、第１の視野角よりも狭くすることが可能である。他の例では、マシン読み取り可能記憶媒体504は、ディスプレイの第２のプライバシーモードを有効にするための入力を受信し、及びプライバシーゲートを上方に移動させてLEDパッケージの光の方向を変更してディスプレイの第３の視野角を提供するための命令を含むことが可能である。この例では、第３の視野角は第２の視野角よりも狭くすることが可能である。
【００３２】
別の例では、プライバシーゲートは、複数のLEDパッケージの各々を仕切るために行及び列に配置された複数の仕切り壁を含むことが可能である。この例では、命令506は、
a）行に対応する仕切り壁を上方に移動させてディスプレイの垂直視野角を制御し、
b）列に対応する仕切り壁を上方に移動させてディスプレイの水平視野角を制御し、又は、
c）行及び列に対応する仕切り壁を上方に移動させてディスプレイの水平視野角及び垂直視野角を制御する
ようにプロセッサ502により実行することが可能である。
【００３３】
上述の本解決策の例は、例示のみを目的としたものであることに留意されたい。本解決策は、その特定の実施態様に関して説明したが、本書で説明した主題の教示及び利点から実質的に逸脱することなく、多数の修正が実施可能である。本解決策の思想から逸脱することなく、他の置換、修正、及び変更を行うことが可能である。本書（特許請求の範囲、要約書、及び図面を含む）で開示する全ての特徴、及び本書で開示する方法又はプロセスの全てのステップは、かかる特徴及び／又はステップの少なくとも一部が互いに排他的である場合を除き、任意の組み合わせで組み合わせることが可能である。
【００３４】
本明細書で用いる用語「含む」、「有する」、及びそれらの変形例は、用語「備える」又はその適当な変形例と同じ意味を有する。更に、本書で用いる用語「〜に基づいて」とは「少なくとも部分的に基づいて」を意味する。したがって、特定の１つの刺激に基づいて説明される特徴は、該１つの刺激又は該１つの刺激を含む複数の刺激の組み合わせに基づくものとすることが可能である。
【００３５】
本書では、前述の複数の例に関して図示し及び説明した。しかし、特許請求の範囲で定義する本主題の思想及び範囲から逸脱することなく、他の形態、詳細、及び例を実施することが可能であることが理解されよう。
【図１Ａ】
2021500597.tif 000003
【図１Ｂ】
2021500597.tif 000004
【図１Ｃ】
2021500597.tif 000005
【図１Ｄ】
2021500597.tif 000006
【図２Ａ】
2021500597.tif 000007
【図２Ｂ】
2021500597.tif 000008
【図３Ａ】
2021500597.tif 000009
【図３Ｂ】
2021500597.tif 000010
【図３Ｃ】
2021500597.tif 000011
【図４Ａ】
2021500597.tif 000012
【図４Ｂ】
2021500597.tif 000013
【図４Ｃ】
2021500597.tif 000014
【図５】
2021500597.tif 000015
【国際調査報告】
2021500597.tif 000016